(57)【要約】【課題】  本発明は、内部を密閉状態に保持し、かつ歩留りを向上させ得るシール構造及びこのようなシール構造を有するディスク状記録再生装置を提案する。【解決手段】  内部空間を有する筐体の所定位置に設けられた開口部と、開口部を介して筐体の外部に引き出されたケーブルと、ケーブルと筐体の外部との間に介在し、ケーブルと筐体の外部とを密着させるように貼着された第１の接着テープと、開口部及びケーブルを覆うように貼着された第２の接着テープとを設けるようにした。【選択図】        図５
2006209829.tif 000002
【特許請求の範囲】
【請求項１】
内部空間を有する筐体の所定位置に設けられた開口部と、
上記開口部を介して上記筐体の外部に引き出されたケーブルと、
上記ケーブルと上記筐体の外部との間に介在し、上記ケーブルと上記筐体の外部とを密着させるように貼着された第１の接着テープと、
上記開口部及び上記ケーブルを覆うように貼着された第２の接着テープと
を具えることを特徴とするシール構造。
【請求項２】
上記第２の接着テープは、
当該第２の接着テープにおける接着層が上記第１の接着テープにおける接着層に比して厚く形成されている
ことを特徴とする請求項１に記載のシール構造。
【請求項３】
上記第２の接着テープは、
ポリエチレンテレフタレートの基材にアクリル系でかつシリコンフリーの接着層が塗布されている
ことを特徴とする請求項１に記載のシール構造。
【請求項４】
筐体内部に収納されたディスク状記録媒体に書き込まれた上記データを読み出すディスク状再生装置であって、
内部空間を有する筐体の所定位置に設けられた開口部と、
上記開口部を介して上記筐体の外部に引き出されたケーブルと、
上記ケーブルと上記筐体の外部との間に介在し、上記ケーブルと上記筐体の外部とを密着させるように貼着された第１の接着テープと、
上記開口部及び上記ケーブルを覆うように貼着された第２の接着テープと
を具えることを特徴とするディスク状再生装置。
【発明の詳細な説明】
【技術分野】
【０００１】
本発明は、シール構造及びディスク状再生装置に関し、例えば筐体内部から気密性を保持したまま外部にフレキシブルケーブル等を引き出す構造のハードディスク装置に適用して好適なものである。
【背景技術】
【０００２】
従来、筐体内部の部品や磁気ディスク等のディスクに発生する錆や、ディスク上における塵埃の堆積を防止するために、筐体内部を密閉状態にして気密性を保持する構造のハードディスク装置が広く普及している。
【０００３】
このような構造のハードディスク装置の一つの例として、図６（Ａ）及び（Ｂ）に示すように、気密室となっているほぼ箱型形状の筐体１の内部１Ａから、所定の開口部２を介してフレキシブルケーブル３を引き出し、当該フレキシブルケーブル３が引き出された開口部２に対して樹脂接着剤４を充填することによって、筐体１の内部１Ａを密閉状態にして気密性を保持する構造のハードディスク装置５が提案されている（例えば特許文献１参照）。
【０００４】
またこのような構造のハードディスク装置の他の例として、図７（Ａ）及び（Ｂ）に示すように、上述のような筐体１０の内部１０Ａから、所定の開口部１１を介してフレキシブルケーブル１２を引き出した後に、当該開口部１１の周囲を囲むようにして設けられたゴムパッキン１３を筐体１０の内部１０Ａからプレート１４等により圧縮し、当該プレート１４を圧縮したままネジ１５を用いて筐体１０の内部１０Ａにネジ止めすることによって、筐体１０の内部１０Ａを密閉状態にして気密性を保持する構造のハードディスク装置１６が提案されている。
【特許文献１】実開平６−８４５５５号公報
【発明の開示】
【発明が解決しようとする課題】
【０００５】
ところでかかる構造のハードディスク装置５では、樹脂接着剤４を充填した後に硬化させなければならず、樹脂接着剤４の硬化を行う工程が増えたり、樹脂接着剤４を硬化させるのに時間を要するので、工程が複雑となる。また接着剤硬化後に接着した部品の交換が困難になる為、生産工程で不良品が発生した場合に分解・部品を交換しての再組み立てという処置を行うことが困難になり、この結果、歩留りが低下するという問題がある。
【０００６】
またかかる構造のハードディスク装置１６では、ゴムパッキン１３、プレート１４及びネジ１５等の種々の部品を設けなければならないので、開口部１１周辺の部品点数が格段的に増加することによって、かかる開口部１１周辺の構造が複雑になるため、歩留りが低下するという問題がある。例えば、プレート１４のネジ止めが不十分な場合には、開口部１１からゴムパッキン１３及びプレート１４間を介して空気が漏れるおそれがある。
【０００７】
本発明は以上の点を考慮してなされたもので、筐体内部を密閉状態に保持し、かつ歩留りを向上させ得るシール構造及びシール構造を有するディスク状再生装置を提案する。
【課題を解決するための手段】
【０００８】
かかる課題を解決するため本発明においては、内部空間を有する筐体の所定位置に設けられた開口部と、開口部を介して筐体の外部に引き出されたケーブルと、ケーブルと筐体の外部との間に介在し、ケーブルと筐体の外部とを密着させるように貼着された第１の接着テープと、開口部及びケーブルを覆うように貼着された第２の接着テープとを設けるようにした。
【０００９】
従って、簡易な構成かつ簡易な工程で開口部からケーブルを引き出したまま筐体内外の空気の出入りを有効に防止すると共に、筐体及びケーブルの分解及び再組み立てを容易にすることができる。
【００１０】
また本発明においては、筐体内部に収納されたディスク状記録媒体に書き込まれたデータを読み出すディスク状再生装置であって、内部空間を有する筐体の所定位置に設けられた開口部と、開口部を介して筐体の外部に引き出されたケーブルと、ケーブルと筐体の外部との間に介在し、ケーブルと筐体の外部とを密着させるように貼着された第１の接着テープと、開口部及びケーブルを覆うように貼着された第２の接着テープとを設けるようにした。
【００１１】
従って、簡易な構成かつ簡易な工程で開口部からケーブルを引き出したまま筐体内外の空気の出入りを有効に防止して、ディスク状再生装置のディスク状記録媒体に書き込まれたデータをケーブルを介して外部に読み出すと共に、筐体及びケーブルの分解及び再組み立てを容易にすることができる。
【発明の効果】
【００１２】
本発明によれば、ケーブルと筐体の外部とに第１の接着テープを介在させて密着させ、開口部とケーブルとを第２の接着テープで覆うようにしたことにより、簡易な構成かつ簡易な工程で筐体内外の空気の出入りを有効に防止すると共に、筐体及びケーブルの分解及び再組み立てを容易にすることができ、かくして筐体内部を密閉状態に保持し、かつ歩留りを向上させ得るシール構造及びシール構造を有するディスク状再生装置を実現できる。
【発明を実施するための最良の形態】
【００１３】
以下図面について、本発明の一実施の形態を詳述する。
【００１４】
（１）ハードディスク装置の構成
図１において、２０は全体として本実施の形態によるハードディスク装置を示し、上部筐体２１と、下部筐体２２とが複数のネジ２３でネジ止めされることにより構成されている。
【００１５】
図２（Ａ）に示すように、この上部筐体２１の内面２１Ａ（この上部筐体２１の裏側）には、当該上部筐体２１の周囲を囲むようにしてゴムパッキン２４が設けられており、これにより上部筐体２１と下部筐体２２とが複数のネジ２３でネジ止めされたときに、この上部筐体２１及び下部筐体２２の接合面における空気の出入りを有効に防止し得るようになされている。
【００１６】
一方、図２（Ｂ）に示すように、下部筐体２２の内面２２Ａには、所定位置にスピンドルモータ２５が収納され、その出力軸に円板形状の磁気ディスク２６が固定されている。これによりこのハードディスク装置２０においては、スピンドルモータ２５を回転駆動させることによって、磁気ディスク２６をその中心軸の回りに一定速度で回転させ得るようになされている。
【００１７】
また下部筐体２２の内面２２Ａには、所定位置にスイングアーム支持部２７が配設され、当該スイングアーム支持部２７には、磁気ディスク２６におけるデータの記録面と平行に、かつ回転自在にスイングアーム２８が設けられている。さらにこのスイングアーム２８の先端部には、磁気ヘッド２９が固着されている。
【００１８】
ここで磁気ヘッド２９は、磁気ディスク２６の記録面からごく僅かな間隙を介して位置するようにその配設位置及び磁気ヘッド２９の形状が選定されると共に、スイングアーム２８は、スイングアーム支持部２７の回転に伴って磁気ヘッド２９が磁気ディスク２６の径方向に横切るようにその長さが選定されている。
【００１９】
さらに下部筐体２２の内面２２Ａには、このスイングアーム２８をスイングアーム支持部２７の回りに回転駆動させるためのアクチュエータ３０が収納されており、かくしてこのアクチュエータ３０を駆動することによって、スイングアーム２８を回転させて磁気ヘッド２９を磁気ディスク２６の径方向に移動させ得るようになされている。
【００２０】
さらに下部筐体２２の内面２２Ａには、所定位置に矩形状の開口部３１が設けられていると共に、スイングアーム２８から引き出されたフレキシブルケーブル３２が開口部３１を介して外部の制御基板（図示せず）に接続されている。
【００２１】
この制御基板には、スピンドルモータ２５及びアクチュエータ３０を駆動制御する制御回路が形成されており、当該制御回路から与えられるコマンドに基づいてスピンドルモータ２５及びアクチュエータ３０を当該コマンドに応じた状態に制御するようになされている。
【００２２】
このようにこのハードディスク装置２０では、外部から与えられるコマンドに応じて、このコマンドと共に外部から与えられるデータを磁気ヘッド２９を介して磁気ディスク２６の指定されたアドレスに記録し、又は磁気ディスク２６の指定されたアドレスに記録されたデータを磁気ヘッド２９を介して読み出し得るようになされている。
【００２３】
（２）シール構造
次に、かかる本実施の形態によるハードディスク装置２０を密閉するシール構造の貼着手順及びシール構造の構成について説明する。
【００２４】
図３（Ａ）及び（Ｂ）に示すように、下部筐体２２の外面２２Ｂには、当該下部筐体２２の外面２２Ｂ上における開口部３１寄りの所定位置に両面粘着テープ３３の一面３３Ａ側を貼着させる。
【００２５】
この後図４（Ａ）及び（Ｂ）に示すように、下部筐体２２の外面２２Ｂには、当該下部筐体２２の内部から開口部３１を介して引き出されたフレキシブルケーブル３２を両面粘着テープ３３の他面３３Ｂ側に貼着させる。
【００２６】
すなわち両面粘着テープ３３は、フレキシブルケーブル３２と下部筐体２２の外面２２Ｂ上に介在しているため、このフレキシブルケーブル３２と下部筐体２２の外面２２Ｂ上に密着させ得るようになされている。
【００２７】
そしてこの後図５（Ａ）及び（Ｂ）に示すように、下部筐体２２の外面２２Ｂには、開口部３１及びフレキシブルケーブル３２を覆うように片面粘着テープ３４の一面３４Ａ側を貼着させる。
【００２８】
このようにしてこのハードディスク装置２０では、図５（Ｂ）のように片面粘着テープ３４により開口部３１を閉塞させることによって、下部筐体２２の内外の空気の出入りを有効に防止することができるようになされている。
【００２９】
このときハードディスク装置２０では、片面粘着テープ３４により開口部３１を閉塞させるため、全体としてこの下部筐体２２の内面２２Ａ及び外面２２Ｂに突出する厚みを抑えながら、下部筐体２２の内外の空気の出入りを防止するようになされている。
【００３０】
ここで片面粘着テープ３４については、例えば通気性が無いポリエチレンテレフタレート（Poly Ethylene Terephthalate）の基材テープにより構成されており、これによりかかる片面粘着テープ３４により開口部３１を閉塞した場合に、当該片面粘着テープ３４を介する空気の出入りを有効に防止し得るようになされている。
【００３１】
また片面粘着テープ３４については、ガスの発生量の少ないアクリル系でかつシリコンフリーの粘着層が、かかるポリエチレンテレフタレートの基材テープの一面側に塗布されることにより構成されている。
【００３２】
これによりこの片面粘着テープ３４は、かかる粘着層が下部筐体２２の内部に露出されている場合においても、ガスの発生量の少ない粘着層を用いているので、この粘着層からのガスの発生に伴う磁気ディスク２６等の筐体内部の部品に発生する錆や、磁気ディスク２６上の筐体内部の部品へのガス物質の堆積を未然かつ有効に防止し得るようになされている。
【００３３】
さらに片面粘着テープ３４については、当該片面粘着テープ３４における粘着層が両面粘着テープ３３の粘着層に比して厚く形成されている。
【００３４】
これによりこの片面粘着テープ３４は、開口部３１及びフレキシブルケーブル３２を覆うように貼着したときに、片面粘着テープ３４における粘着層の厚さ、重さ又は粘性等を利用してフレキシブルケーブル３２及び両面粘着テープ３３の側面３３Ｃに生じる隙間を埋めることができるようになされている。
【００３５】
なお、このハードディスク装置２０では、両面粘着テープ３３及び片面粘着テープ３４を貼着させる下部筐体２２の外面２２Ｂが平坦に形成されているので、両面粘着テープ３３及び片面粘着テープ３４を下部筐体２２の外面２２Ｂに、より強固に貼着し得るようになされている。
【００３６】
（３）動作及び効果
以上の構成において、このハードディスク装置２０では、両面粘着テープ３３及び片面粘着テープ３４を用いることによって、開口部３１からフレキシブルケーブル３２を引き出したまま、下部筐体２２の内外の空気の出入りを有効に防止することができる。
【００３７】
このとき、フレキシブルケーブル３２と下部筐体２２の外面２２Ｂ上とに両面粘着テープ３３を介在させて密着させると共に、開口部３１とフレキシブルケーブル３２とを片面粘着テープ３４で覆うようにしたため、両面粘着テープ３３が介在していない場合に比して、この下部筐体２２の内外の気圧の変化によってフレキシブルケーブル３２が下部筐体２２の外面２２Ｂ上から浮き上がることによる空気の出入りを有効に防止することができる。
【００３８】
また、このハードディスク装置２０では、両面粘着テープ３３及び片面粘着テープ３４のみを用いるため、樹脂接着剤４、又はゴムパッキン１３、プレート１４及びネジ１５等を用いる場合に比して、簡易な構成かつ簡易な工程で下部筐体２２の内外の空気の出入りを有効に防止することができる。
【００３９】
さらに、このハードディスク装置２０では、硬化された樹脂接着剤４やネジ止めされたプレート１４から下部筐体２２の外面２２Ｂとフレキシブルケーブル１３とを分離させる場合に比して、両面粘着テープ３３及び片面粘着テープ３４を剥離するだけで下部筐体２２の外面２２Ｂとフレキシブルケーブル１３とを簡単に分離させることができるため、かかる下部筐体２２の外面２２Ｂとフレキシブルケーブル３２の分解及び再組み立てを容易にすることができる。
【００４０】
以上の構成によれば、フレキシブルケーブル３２と下部筐体２２の外面２２Ｂ上とに両面粘着テープ３３を介在させて密着させ、開口部３１とフレキシブルケーブル３２とを片面粘着テープ３４で覆うようなシール構造にしたことにより、簡易な構成かつ簡易な工程で下部筐体２２の内外の空気の出入りを有効に防止すると共に、かかる下部筐体２２の外面２２Ｂとフレキシブルケーブル３２の分解及び再組み立てを容易にすることができ、かくして筐体内部を密閉状態に保持し、かつ歩留りを向上させることができる。
【００４１】
（４）他の実施の形態
なお上述の実施の形態においては、内部に空間を有する筐体として、上部筐体２１と、下部筐体２２とを複数のネジ２３でネジ止めして、このハードディスク装置２０の内部を密閉した場合について述べたが、本発明はこれに限らず、例えば上部筐体と下部筐体とが内部空間を有するように一体形成された筐体であっても良く、その他種々の構成の筐体に適用することができる。
【００４２】
また上述の実施の形態においては、片面粘着テープ３４を例えば通気性が無いポリエチレンテレフタレートの基材テープに、ガスの発生量の少ないアクリル系でかつシリコンフリーの粘着層を塗布することにより構成した場合について述べたが、本発明はこれに限らず、この他種々のガスの発生量の少なく、かつ通気性が無い材質の接着テープを適用することができる。
【００４３】
さらに上述の実施の形態においては、内部空間を有する筐体の所定位置に設けられた開口部として、矩形状の開口部３１を設けた場合について述べたが、本発明はこれに限らず、例えば丸型等のケーブルの形状に合わせた種々の開口部を適用することができる。
【００４４】
さらに上述の実施の形態においては、ケーブルと筐体の外部との間に介在し、ケーブルと筐体の外部とを密着させるように貼着された第１の接着テープとして、当該下部筐体２２の外面２２Ｂ上における開口部３１寄りの所定位置に両面粘着テープ３３の一面３３Ａ側を貼着させた場合について述べたが、本発明はこれに限らず、例えば開口部から下部筐体の外面上の端まで貼着させるようにしても良く、この他種々の位置に貼着させることができる。
【００４５】
さらに上述の実施の形態においては、開口部及びケーブルを覆うように貼着された第２の接着テープとして、開口部３１及びフレキシブルケーブル３３を覆うように片面粘着テープ３４の一面３４Ａ側を貼着させた場合について述べたが、本発明はこれに限らず、例えば下部筐体の外面上の全面を貼着させるようにしても良く、この他種々の位置に貼着させることができる。
【００４６】
さらに上述の実施の形態においては、開口部及びケーブルを覆うように貼着された第２の接着テープとして、片面粘着テープ３４における粘着層が両面粘着テープ３３の粘着層に比して厚く形成されている場合について述べたが、本発明はこれに限らず、例えば片面粘着テープを二重、三重に貼着させるようにしても良く、また両面粘着テープにおける粘着層がある程度の厚さを有していても良く、要は、ケーブル及び両面粘着テープの側面に生じる隙間を埋めることができるこの他種々の構成を適用することができる。
【００４７】
さらに上述の実施の形態においては、筐体内部に収納されたディスク状記録媒体に書き込まれた上記データを読み出すディスク状再生装置として、外部から与えられるデータを磁気ヘッド２９を介して磁気ディスク２６の指定されたアドレスに記録し、又は磁気ディスク２６の指定されたアドレスに記録されたデータを磁気ヘッド２９を介して読み出すディスク状記録再生装置であるハードディスク装置２０に適用した場合について述べたが、本発明はこれに限らず、例えばディスクの指定されたアドレスに記録されたデータを読み出すディスク状再生装置又は外部から与えられるデータをディスクの指定されたアドレスに記録するディスク状記録装置のみに適用することができる。
【００４８】
さらに上述の実施の形態においては、ディスク状再生装置として、図２（Ａ）及び（Ｂ）のようなハードディスク装置２０の内部構成に適用するようにした場合について述べたが、本発明はこれに限らず、この他種々の構成のハードディスク装置に広く適用することができる。
【００４９】
さらに上述の実施の形態においては、ディスク状再生装置として、図２のようなハードディスク装置２０に適用した場合について述べたが、本発明はこれに限らず、所定の光ディスクにデータを記録し、又は光ディスクからデータを再生する光ピックアップを搭載した光ディスク装置等に適用するようにしても良い。
【産業上の利用可能性】
【００５０】
本発明は、ハードディスク装置のほか、この他種々のディスク状記録再生装置に広く適用することができる。
【図面の簡単な説明】
【００５１】
【図１】本実施の形態によるハードディスク装置の外観構成を示す略線図である。
【図２】本実施の形態によるハードディスク装置の内部構成を示す略線図である。
【図３】本実施の形態によるシール構造の貼着手順を示す上面図及びX１−X１’断面図である。
【図４】本実施の形態によるシール構造の貼着手順を示す上面図及びX２−X２’断面図である。
【図５】本実施の形態によるシール構造の構成を示す上面図及びX３−X３’断面図である。
【図６】従来のハードディスク装置の構成を示す上面図及びX４−X４’断面図である。
【図７】従来のハードディスク装置の構成を示す上面図及びX５−X５’断面図である。
【符号の説明】
【００５２】
２０……ハードディスク装置、２１……上部筐体、２２……下部筐体、２６……磁気ディスク、３１……開口部、３２……フレキシブルケーブル、３３……両面粘着テープ、３４……片面粘着テープ。
【図１】
2006209829.tif 000003
【図２】
2006209829.tif 000004
【図３】
2006209829.tif 000005
【図４】
2006209829.tif 000006
【図５】
2006209829.tif 000007
【図６】
2006209829.tif 000008
【図７】
2006209829.tif 000009